(57)【特許請求の範囲】
【請求項１】
容器内部に複数の卵を整列状態でパック詰めしたパック詰め品を搬送する手段と、
卵列の斜め横上方と斜め横下方とを結ぶ方向にマイクロ波が横切る状態で、対地に対し固定配置のマイクロ波送信器とマイクロ波受信器とを有し、
前記マイクロ波送信器と前記マイクロ波受信器とは、両者を結ぶ仮想線分が前記容器の凹部より上方で前記卵列と交叉するが凹部の底面を交叉しない位置に対向配置され、
前記搬送手段によって走査される前記容器内部の前記卵の前記マイクロ波受信器から時系列透過マイクロ波受信信号レベル、及び、前記マイクロ波送信器から時系列マイクロ波送信信号レベルを受け、前記マイクロ波送信器からの送信信号レベルとマイクロ波受信器での受信信号レベルとの相対比に基づき中身抜けを判断可能である判定器を有する卵の中身抜け検査装置。
【請求項２】
容器内部に複数の卵を整列状態でパック詰めしたパック詰め品を搬送する手段と、
卵列の斜め横上方と斜め横下方とを結ぶ方向にマイクロ波が横切る状態で、対地に対し固定配置のマイクロ波送信器とマイクロ波受信器とを有し、
前記マイクロ波送信器からの送信信号レベルとマイクロ波受信器での受信信号レベルとの相対比に基づき中身抜けを判断する判定器を有する卵の中身抜け検査装置であって、
当該マイクロ波送信器及び当該マイクロ波受信器は、同一の指向方向となるように支持体に支持されている卵の中身抜け検査装置。
【請求項３】
容器内部に複数の卵を整列状態でパック詰めしたパック詰め品を搬送する手段と、
卵列の斜め横上方と斜め横下方とを結ぶ方向にマイクロ波が横切る状態で、対地に対し固定配置のマイクロ波送信器とマイクロ波受信器とを有し、
前記マイクロ波送信器と前記マイクロ波受信器とは、両者を結ぶ仮想線分が前記容器の凹部より上方で前記卵列と交叉するが凹部の底面を交叉しない位置に対向配置され、
前記搬送手段によって走査される前記容器内部の前記卵の前記マイクロ波受信器から時系列透過マイクロ波受信信号レベル、及び、前記マイクロ波送信器から時系列マイクロ波送信信号レベルを受け、前記マイクロ波送信器からの送信信号レベルとマイクロ波受信器での受信信号レベルとの相対比に基づき中身抜けを判断可能である判定器を有する卵の中身抜け検査装置であって、
当該マイクロ波送信器及び当該マイクロ波受信器は、同一の指向方向となるように固定配置されている卵の中身抜け検査装置。
【請求項４】
前記支持体は水平軸芯周りに回転自在とされ、マイクロ波の卵列に対する横切り方向角度が調整できるように構成されている、請求項２に記載の卵の中身抜け検査装置。
【請求項５】
前記支持体は対地に対し固定配置の保持体に上下に移動自在とされ、マイクロ波の卵列に対する横切り高さ位置が調整できるように構成されている、請求項２又は４記載の卵の中身抜け検査装置。
【請求項６】
容器内部に複数の卵を整列状態でパック詰めしたパック詰め品を搬送させるとともに、
卵列の斜め横上方と斜め横下方とを結ぶ方向にマイクロ波が横切る状態で、マイクロ波送信器とマイクロ波受信器とを、対地に対し固定配置し、
前記マイクロ波送信器からの送信信号レベルとマイクロ波受信器での受信信号レベルとの相対比に基づき中身抜けを判別する卵の中身抜け検査方法であって、
マイクロ波送信器及びマイクロ波受信器は、同一の指向方向となるように支持体に支持されている卵の中身抜け検査装置を用いる卵の中身抜け検査方法
【請求項７】
容器内部に複数の卵を整列状態でパック詰めしたパック詰め品を搬送させるとともに、
卵列の斜め横上方と斜め横下方とを結ぶ方向にマイクロ波が横切る状態で、マイクロ波送信器とマイクロ波受信器とを、対地に対し固定配置し、前記マイクロ波送信器と前記マイクロ波受信器とは、両者を結ぶ仮想線分が前記容器の凹部より上方で前記卵列と交叉するが凹部の底面を交叉しない位置に対向配置され、
前記搬送手段によって走査される前記容器内部の前記卵の前記マイクロ波受信器から時系列透過マイクロ波受信信号レベル及び前記マイクロ波送信器から時系列マイクロ波送信信号レベルを受け、 
前記マイクロ波送信器からの送信信号レベルとマイクロ波受信器での受信信号レベルとの相対比に基づき中身抜けを判別する卵の中身抜け検査方法。
【請求項８】
容器内部に複数の卵を整列状態でパック詰めしたパック詰め品を搬送させるとともに、
卵列の斜め横上方と斜め横下方とを結ぶ方向にマイクロ波が横切る状態で、マイクロ波送信器とマイクロ波受信器とを、対地に対し固定配置し、前記マイクロ波送信器と前記マイクロ波受信器とは、両者を結ぶ仮想線分が前記容器の凹部より上方で前記卵列と交叉するが凹部の底面を交叉しない位置に対向配置され、
前記搬送手段によって走査される前記容器内部の前記卵の前記マイクロ波受信器から時系列透過マイクロ波受信信号レベル、及び、前記マイクロ波送信器から時系列マイクロ波送信信号レベルを受け、前記マイクロ波送信器からの送信信号レベルとマイクロ波受信器での受信信号レベルとの相対比に基づき中身抜けを判別する卵の中身抜け検査方法であって、
当該マイクロ波送信器及び当該マイクロ波受信器は、同一の指向方向となるように固定配置されている卵の中身抜け検査手段による卵の中身抜け検査方法。
【請求項９】
パック内にラベル類が存在した状態でラベル類を透過可能である周波数及び強度を有するマイクロ波を用い、中身抜けが判別可能である請求項５から８のいずれか1項に記載の卵の中身抜け検査方法。
【発明の詳細な説明】
【技術分野】
【０００１】
本発明は、卵の中身抜け検査装置及び方法に関するものである。
【背景技術】
【０００２】
現代においては、鶏卵はスーパーで販売されるいわゆるパック詰め鶏卵の購入率が多くなっている。
とりわけ、パック詰め鶏卵の包装形態は単一ではないが、比較的に多いのは、薄いポリエチレン製の容器の底部に形成した凹部列上に、たとえば片側５個ごと左右２列で合計１０個の鶏卵を設置し、容器の上下中間のフランジを接合するなどして密封したものである。
【０００３】
以下においては、主にこのパック詰め容器又は包装における検査の課題について説明することとする。
【０００４】
パック詰めに先だって、鶏卵は暗室内で下から光を当てて、検査員が目視によりひび割れや卵や血卵などを検知し、これらを取り除き、その後に鶏卵を叩きその音による判断で選別する場合もある。
【０００５】
しかし、パック詰めに先だって、種々の検査をしたとしても、ひび割れの検出漏れや出荷前の鶏卵の取扱過程での割れが原因で、主にパック詰め段階や後に、卵白や卵黄が抜けて卵殻のままの状態、いわゆる中身抜け状態のパック詰め製品が市場に出回ることがある。さりとて、パック詰め後の状態で中身抜けを目視で検知するのはきわめて困難である。
したがって、この種の中身抜け状態のパック詰め製品の販売者は、購入者による苦情トラブルに巻き込まれるので、製造者にとって、中身抜け状態のパック詰め製品は出荷させないように、確実な検査を行なうことが強く要請される。
【０００６】
従来、たとえば特許文献（特開２００１−１３０６５号公報）に開示のように、照射光を鶏卵にその上方から直接的に照射し、同時に下方への透過光を検出し、光のレベル差に基づき検卵することなどは知られていた。
【０００７】
しかし、この種の技術は、検卵工程のみで適用でき、パック詰め段階での中身抜けには適用できない。
すなわち、中身抜けによる卵白や卵黄は、パックの凹部に溜まったままの場合があり、透過光のレベル差に基づく限り、正常な鶏卵との相違を検出できない。
【先行技術文献】
【特許文献】
【０００８】
【特許文献１】特開２００１−１３０６５号公報
【発明の概要】
【発明が解決しようとする課題】
【０００９】
したがって、本発明が解決しようとする主たる課題は、パック詰め製品における中身抜け状態を確実に検出することにある。
【課題を解決するための手段】
【００１０】
この課題を解決するための本発明は、次の通りである。
〔請求項１記載の発明〕
容器内部に複数の卵を整列状態でパック詰めしたパック詰め品を搬送する手段と、
卵列の斜め横上方と斜め横下方とを結ぶ方向にマイクロ波が横切る状態で、対地に対し固定配置のマイクロ波送信器とマイクロ波受信器とを有し、
前記マイクロ波送信器と前記マイクロ波受信器とは、両者を結ぶ仮想線分が前記容器の凹部より上方で前記卵列と交叉するが凹部の底面を交叉しない位置に対向配置され、
前記搬送手段によって走査される前記容器内部の前記卵の前記マイクロ波受信器から時系列透過マイクロ波受信信号レベル、及び、前記マイクロ波送信器から時系列マイクロ波送信信号レベルを受け、前記マイクロ波送信器からの送信信号レベルとマイクロ波受信器での受信信号レベルとの相対比に基づき中身抜けを判断可能である判定器を有する卵の中身抜け検査装置。
〔請求項３記載の発明〕
容器内部に複数の卵を整列状態でパック詰めしたパック詰め品を搬送する手段と、
卵列の斜め横上方と斜め横下方とを結ぶ方向にマイクロ波が横切る状態で、対地に対し固定配置のマイクロ波送信器とマイクロ波受信器とを有し、
前記マイクロ波送信器と前記マイクロ波受信器とは、両者を結ぶ仮想線分が前記容器の凹部より上方で前記卵列と交叉するが凹部の底面を交叉しない位置に対向配置され、
前記搬送手段によって走査される前記容器内部の前記卵の前記マイクロ波受信器から時系列透過マイクロ波受信信号レベル、及び、前記マイクロ波送信器から時系列マイクロ波送信信号レベルを受け、前記マイクロ波送信器からの送信信号レベルとマイクロ波受信器での受信信号レベルとの相対比に基づき中身抜けを判断可能である判定器を有する卵の中身抜け検査装置であって、
当該マイクロ波送信器及び当該マイクロ波受信器は、同一の指向方向となるように固定配置されている卵の中身抜け検査装置。
【００１１】
（作用効果）
仮に、本発明のマイクロ波センサのマイクロ波送信器を上方に配置し、マイクロ波受信器を下方に配置し、マイクロ波送信器からの送信信号レベルとマイクロ波受信器での受信信号レベルとの相対比に基づき中身抜けを判別しようとしても、確実な検出は困難である。
すなわち、図１に示すように、ポリエチレン等の容器１内部に複数の卵Ｅを整列状態でパック詰めしたパック詰め品、たとえば片側５個ごと左右２列で合計１０個の鶏卵を設置し、容器の上下中間のフランジをテープなどで接合するなどして密封した（完全密封であるか否か問われない）パック詰め品Ｘに対し、マイクロ波を上下に透過させても、目立ちにくい下部において、ひび割れが拡大し、割れに到った場合、内部の卵白や卵黄が抜けて卵殻のままの状態となるにも関わらず、抜け落ちた卵白や卵黄が容器１の凹部内に滞留する（図１の右側列の最前の卵Ｅに中身抜けが発生した状態を示している。）ために、その抜け落ちた卵白や卵黄を検出してしまい、正常品と判断してしまうのである。
これに対し、本発明においては、卵列の斜め横上方と斜め横下方とを結ぶ方向にマイクロ波ＭＷが横切る状態で、対地に対し固定配置のマイクロ波送信器とマイクロ波受信器とを設置し、マイクロ波送信器からの送信信号レベルとマイクロ波受信器での受信信号レベルとの相対比に基づき中身抜けを判別するものであるから、容器１の凹部内に抜け落ちた卵白や卵黄の滞留とは無縁に、いわゆる中身抜け状態を検出することができるので、検出確率が格段に高まる。
さらに、側面割れが生じたが、卵殻内部に卵白や卵黄の一部が滞留している場合においても、検出が可能である。
もちろん、容器内に卵そのものが存在しない「卵無し」状態も検出可能である。
さらに、本発明は、そもそもマイクロ波センサを使用しているために、一般的な光透過型の検出センサ方式に比較して、検出精度が高いものである。
【００１２】
〔請求項２記載の発明〕
容器内部に複数の卵を整列状態でパック詰めしたパック詰め品を搬送する手段と、
卵列の斜め横上方と斜め横下方とを結ぶ方向にマイクロ波が横切る状態で、対地に対し固定配置のマイクロ波送信器とマイクロ波受信器とを有し、
前記マイクロ波送信器からの送信信号レベルとマイクロ波受信器での受信信号レベルとの相対比に基づき中身抜けを判断する判定器を有する卵の中身抜け検査装置であって、
当該マイクロ波送信器及び当該マイクロ波受信器は、同一の指向方向となるように支持体に支持されている卵の中身抜け検査装置。
【００１３】
（作用効果）
マイクロ波送信器及びマイクロ波受信器を、同一の指向方向となるように支持体に支持させる構成であると、たとえば工場において予め支持体とともにマイクロ波送信器及びマイクロ波受信器を同一の指向方向となるようにセットし、その後、そのユニットを据え付け現場に搬入し、そのユニット状態で位置決めを行なえばよいので、現場での設置作業が容易となる。
【００１４】
〔請求項４記載の発明〕
前記支持体は水平軸芯周りに回転自在とされ、マイクロ波の卵列に対する横切り方向角度が調整できるように構成されている、請求項２に記載の卵の中身抜け検査装置。
【００１５】
（作用効果）
支持体を水平軸芯周りに回転自在としておけば、マイクロ波の卵列に対する横切り方向角度をユニット状態で調整でき、調整作業が容易である。
【００１６】
〔請求項５記載の発明〕
前記支持体は対地に対し固定配置の保持体に上下に移動自在とされ、マイクロ波の卵列に対する横切り高さ位置が調整できるように構成されている、請求項２又は４記載の卵の中身抜け検査装置。
【００１７】
（作用効果）
マイクロ波の卵列に対する横切り高さ位置を容易に調整できる。
【００１８】
〔請求項６記載の発明〕
容器内部に複数の卵を整列状態でパック詰めしたパック詰め品を搬送させるとともに、
卵列の斜め横上方と斜め横下方とを結ぶ方向にマイクロ波が横切る状態で、マイクロ波送信器とマイクロ波受信器とを、対地に対し固定配置し、
前記マイクロ波送信器からの送信信号レベルとマイクロ波受信器での受信信号レベルとの相対比に基づき中身抜けを判別する卵の中身抜け検査方法であって、
マイクロ波送信器及びマイクロ波受信器は、同一の指向方向となるように固定配置されている卵の中身抜け検査手段による卵の中身抜け検査方法。
〔請求項７記載の発明〕
容器内部に複数の卵を整列状態でパック詰めしたパック詰め品を搬送させるとともに、
卵列の斜め横上方と斜め横下方とを結ぶ方向にマイクロ波が横切る状態で、マイクロ波送信器とマイクロ波受信器とを、対地に対し固定配置し、前記マイクロ波送信器と前記マイクロ波受信器とは、両者を結ぶ仮想線分が前記容器の凹部より上方で前記卵列と交叉するが凹部の底面を交叉しない位置に対向配置され、
前記搬送手段によって走査される前記容器内部の前記卵の前記マイクロ波受信器から時系列透過マイクロ波受信信号レベル、及び、前記マイクロ波送信器から時系列マイクロ波送信信号レベルを受け、前記マイクロ波送信器からの送信信号レベルとマイクロ波受信器での受信信号レベルとの相対比に基づき中身抜けを判別する｛ことを特徴とする｝（｛｝内削除）卵の中身抜け検査方法。
〔請求項８記載の発明〕
容器内部に複数の卵を整列状態でパック詰めしたパック詰め品を搬送させるとともに、
卵列の斜め横上方と斜め横下方とを結ぶ方向にマイクロ波が横切る状態で、マイクロ波送信器とマイクロ波受信器とを、対地に対し固定配置し、前記マイクロ波送信器と前記マイクロ波受信器とは、両者を結ぶ仮想線分が前記容器の凹部より上方で前記卵列と交叉するが凹部の底面を交叉しない位置に対向配置され、
前記搬送手段によって走査される前記容器内部の前記卵の前記マイクロ波受信器から時系列透過マイクロ波受信信号レベル、及び、前記マイクロ波送信器から時系列マイクロ波送信信号レベルを受け、前記マイクロ波送信器からの送信信号レベルとマイクロ波受信器での受信信号レベルとの相対比に基づき中身抜けを判別する卵の中身抜け検査方法であって、
当該マイクロ波送信器及び当該マイクロ波受信器は、同一の指向方向となるように固定配置されている卵の中身抜け検査手段による卵の中身抜け検査方法。
【００１９】
（作用効果）
請求項１〜３と同様の作用効果を奏する。
【００２０】
〔請求項９記載の発明〕
パック内にラベル類を透過可能である周波数及び強度を有するマイクロ波を用い、中身抜けが判別可能である請求項５から８のいずれか1項に記載の卵の中身抜け検査方法。
【００２１】
（作用効果）
マイクロ波センサを使用すると、マイクロ波がポリエチレンなどに対し、透過性が高いので、図６のように、容器１内にラベル類２が存在しても、中身抜けを容易に判別することができる。また、容器１に貼着されたラベルが存在しても支障なく中身抜けを容易に判別することができる。
【発明の効果】
【００２２】
本発明によると、パック詰め製品における中身抜け状態を確実に検出することができる。
【図面の簡単な説明】
【００２３】
【図１】パック詰め製品の概要斜視図である。
【図２】単一検出装置例の斜視図である。
【図３】その設置例の側面図である。
【図４】他の方向の側面図である。
【図５】検出機器の概要説明図である。
【図６】パックインラベルのパック詰め品の平面図である。
【発明を実施するための形態】
【００２４】
次に、本発明の実施の形態を説明する。
【００２５】
本発明において、対象のパック詰め品Ｘにおける容器１の材質として、ポリエチレンであることに限定されない。容器１内部に複数の卵Ｅを整列状態でパック詰めしたパック詰め品の配置形態も限定されない。ただし、配列が１列か２列であることが条件である。
【００２６】
本発明における検出装置の構成例を図６に示した。マイクロ波送信器１１は、ドライブ回路１１Ａとクロック発生器１１Ｂを有し、送信ホーンアンテナ１１Ｃを介してマイクロ波を送信する。他方で、対向配置のマイクロ波受信器１２は、受信ホーンアンテナ１２Ｃを介して受信し、直流バイアス回路１２Ａを付属した増幅回路１２Ｂにて受信波を増幅し、フィルター回路１２Ｄによりノイズを除去し、検出回路１２Ｅにより受信波を検出する。ホーンアンテナに代えて、広幅な指向性を有するパッチアンテナなども使用できる。
【００２７】
さらに、マイクロ波送信器１１からの送信信号レベルとマイクロ波受信器１２での受信信号レベルとの相対比に基づき中身抜けを判別する判定器１３が設けられている。
【００２８】
マイクロ波送信器１１及びマイクロ波受信器１２としては、モジュール化したものを使用でき、たとえばユピテル社製のモジュールを使用でき、特に「Ｋバンド」（２４．２ＧＨｚ帯）のものを使用できる。「Ｘバンド」（１０．５ＧＨｚ帯）なども使用できる。新日本無線社製「ｋ−バンドドップラーセンサー」なども使用可能である。
【００２９】
パック詰め品Ｘはコンベアなどの搬送する手段２０上に乗せて搬送する。このコンベアラインに対して、マイクロ波送信器１１及びマイクロ波受信器１２を対地固定する。
【００３０】
図示のパック詰め品Ｘは２列のパック詰め品Ｘであるので、各列に対応して、２基の検査装置ＹＡ、ＹＢが設けられている。これらは、コンベアラインの搬送方向前後に設置されているのが相違するだけであり、同一構成とすることができる。よって、以下においては、一方の検査装置の構成の説明を中心に説明する。
【００３１】
コンベアラインの側部に保持体２１が対地固定に設けられ、その上部に長孔２１ａに沿って支持体２２の支持軸２３が上下に移動自在とされている。
【００３２】
支持体２２の前後には、マイクロ波送信器１１及びマイクロ波受信器１２が、調整ツマミ軸２４を介して支持体２２に形成された長孔２２ａに沿って、前後方向に位置調整可能に固定されている。
【００３３】
さらに詳しくは、図４に示されているように、支持軸２３の基部には回転座体２５が設けられ、回転座体２５の中心線周りに支持軸２３が回転可能となっている。回転座体２５の背面の取り付け部分に固定されたボルト２５ａ，２５ａが、長孔２１ａに沿うことにより、支持体２２の支持軸２３が上下に移動自在とされている。
【００３４】
このように構成された装置を使用し、卵列の斜め横上方と斜め横下方とを結ぶ方向にマイクロ波ＭＷが横切る状態で、対地に対し固定配置のマイクロ波送信器１１とマイクロ波受信器１２とを設置し、マイクロ波送信器１１からの送信信号レベルとマイクロ波受信器１２での受信信号レベルとの相対比に基づき中身抜けを判別するものである。通常は、信号レベルとの相対比は大きいが、相対比が閾値範囲より小さい場合には、中身抜け有りと判断できる。
なお、中身抜け判断に先立つパック詰め品Ｘの検知は、たとえばパック詰め品Ｘが所定位置に搬送されたことを光電スイッチなどのパック検出器３０により行なうことができる。
本発明の形態によれば、容器１の凹部内に、抜け落ちた卵白や卵黄の滞留とは無縁に、いわゆる中身抜け状態を検出することができるので、検出確率が格段に高まる。
【００３５】
他方、マイクロ波送信器１１とマイクロ波受信器１２の設置位置は逆にすることも可能である。
【産業上の利用可能性】
【００３６】
本発明の対象の卵としては、主にはニワトリ鶏卵であるが、うずら等の他の卵に対しても適用できることは明らかであろう。
他方、上記例ではポリエチレン製容器１を例としたが、本発明では、マイクロ波を使用し、光透過性とは関係ないので、内部が視認できない紙製の容器などであっても、中身抜けを容易に判別することができる。
【符号の説明】
【００３７】
Ｘ…パック詰め品
Ｅ…卵
波ＭＷ…マイクロ波
ＹＡ、ＹＢ…検査装置
１…容器
２…ラベル類
１１…マイクロ波送信器
１２…マイクロ波受信器
１３…判定器
２０…搬送する手段（コンベア）
２１…保持体
２２…支持体
２３…支持軸
２４…回転座体
３０…パック検出器
【図１】
0006011772.tif 000002
【図２】
0006011772.tif 000003
【図３】
0006011772.tif 000004
【図４】
0006011772.tif 000005
【図５】
0006011772.tif 000006
【図６】
0006011772.tif 000007